(57)【要約】【課題】  複数の言語キーボードを切換え表示できるようにする。【解決手段】  内部キーボードデータ記憶部７２１は、表示パネル７１に表示するキーボードデータとこれに関連付けたフォントデータとを予め記憶する。外部キーボードデータ記憶部７２２は、追加キーボードデータとこれに関連付けて表示される追加フォントデータとを記憶する。追加キーボード登録制御部７３２はそれら追加キーボードおよび追加フォントデータを外部キーボードデータ記憶部７２２に登録制御する。表示用キーボード作成部７３１は内部又は外部キーボードデータ記憶部７２１、７２２から選択したキーボードデータとこのキー位置に関連付けたフォントデータとから表示用キーボードデータを作成する。【選択図】  図２
2007265087.tif 000002
【特許請求の範囲】
【請求項１】
表示するキーボード配列データとこのキー位置に関連付けて表示されるフォントデータとを予め記憶する第１のキーボードデータ記憶部と、
追加キーボード配列データとこのキー位置に関連付けて表示される追加フォントデータとを記憶する第２のキーボードデータ記憶部と、
前記追加キーボード配列データおよび追加フォントデータを前記第２のキーボードデータ記憶部に登録制御する追加キーボード登録制御部と、
所定の指示に基づき、前記第１又は第２のキーボードデータ記憶部から前記キーボードを選択するとともに、選択された当該キーボード配列データとこのキー位置に関連付けるフォントデータとから表示用キーボードデータを作成する表示用キーボード作成部と、
を具備することを特徴とするキーボード管理装置。
【請求項２】
選択された前記キーボード配列データのキー位置について、所定の指示に基づき、前記第１又は第２のキーボードデータ記憶部中の前記フォントデータを変更して前記表示用キーボード作成部に出力制御する変更制御部を有する請求項１記載のキーボード管理装置。
【請求項３】
所定の指示に基づき、選択された前記キーボード配列データについて、当該キーボード配列の一部を変更して前記表示用キーボード作成部に出力制御する変更制御部を有する請求項１記載のキーボード管理装置。
【請求項４】
前記追加キーボード登録制御部は、異なる言語用の追加キーボード配列データおよび追加フォントデータを登録制御するものである請求項１〜３のいずれか１項記載のキーボード管理装置。
【請求項５】
表示するキーボード配列データとこのキー位置に関連付けて表示されるフォントデータとを予め第１のキーボードデータ記憶部に記憶して管理する管理制御コンピュータにおいて、
追加キーボード配列データとこのキー位置に関連付けて表示される追加フォントデータとを第２のキーボードデータ記憶部に記憶する記憶処理と、
所定の指示に基づき、前記第１又は第２のキーボードデータ記憶部から前記キーボード配列データを選択するとともに、選択された当該キーボード配列データとこのキー位置に関連付けたフォントデータとから表示用キーボードデータを作成する表示用キーボード作成処理と、
を実行するキーボード管理プログラム。
【発明の詳細な説明】
【技術分野】
【０００１】
本発明はキーボード管理装置およびキーボード管理プログラムに係り、例えば、プリンタ、複写機、ファクシミリ等の複合機能を有する複合機（ＭＦＰ）に搭載して好適するキーボード管理装置およびキーボード管理プログラムに関する。
【背景技術】
【０００２】
近年、この種の複合機（ＭＦＰ）では、日本語以外に英語、韓国語、中国語といった複数の言語での使用が可能な機器が提供されるようになっており、例えば、以下に示すような構成が知られている。
【０００３】
すなわち、図６に示すように、入力したプリンタデータに対してプリンタ制御部１において印刷フォントデータ記憶部３から得たフォントデータによって印刷画像データを作成して画像制御部５に出力し、スキャナー処理部７から読込んだ画像データを画像制御部５に出力し、パネル制御部９を介した表示パネル１１からの指示に基づき、画像制御部５にてそれら印刷画像データ又は読込み画像データを印刷処理部１３に出力制御して印刷させたり、送信制御部１５に出力制御して送信フォントデータ記憶部１７からの送信フォントデータよって送信元や送信先の名称やＩＤを送信画像制御部１９にてヘッダやフッタに付加し、外部のネットワーク（図示省略）にＦＡＸ送信するとともに、画像制御部５からの種々の表示データをパネル制御部９を介して表示パネル１１に表示する構成を有していた。
【０００４】
図３中の符号２１は表示パネル１１に表示する表示フォントデータを記憶しパネル制御部９で読み書き制御される表示フォントデータ記憶部であり、符号２３は例えばネットワークからの受信ＦＡＸ信号等を画像制御部５に出力する受信処理部である。
【０００５】
このような複合機（ＭＦＰ）において、複数の言語に対応させる場合、印刷フォントデータ記憶部３、送信フォントデータ記憶部１７、表示フォントデータ記憶部２１に、希望する言語フォントデータを各々記憶しておかないと、画像データが作成できなかったり、画像データに文字を付加したり表示パネル１１で表示ができないが、複数の言語フォントデータを予め記憶して備えるにはかなりの費用が必要であるうえ、ユーザ毎に必要とする言語が異なる。
【０００６】
そこで、従来の複合機（ＭＦＰ）では、機器を設置する国の言語に加えて１〜２の主要な言語についてソフトキーボード配列データとこのキー位置に表示するキーフォントデータを標準言語（例えば日本語や英語）として表示フォントデータ記憶部２１に記憶させ、主に表示パネル１１において複数のソフトキーボードを切換え表示可能に構成し、パネル操作における支障を少なくして対応している。
【０００７】
本発明ではこの種のソフトキーボードやソフトキーボード配列を単にキーボードやソフトキーボード配列と略称する。
【０００８】
なお、複数の言語に対応可能なこの種のものとしては、例えば特開２００２−２０４３２２号公報（特許文献１）がある。
【特許文献１】特開２００２−２０４３２２号公報
【発明の開示】
【発明が解決しようとする課題】
【０００９】
しかしながら、上述した複合機は、各国で使用されるようになるとともにネットワークを介して接続されるようになってきたが、標準言語以外の言語キーボードを表示できないので、使用国が限定され易い難点がある。
【００１０】
さらに、キーボード配列に割り付けるキーフォントデータが予め固定されていることから、使用国における使い勝手を向上させる工夫が望まれていた。
【００１１】
本発明はそのような課題を解決するためになされたもので、複数の言語に対応したキーボードの切換え表示が可能なキーボード管理装置およびキーボード管理プログラムの提供を目的とする。
【課題を解決するための手段】
【００１２】
そのような課題を解決するために本発明に係るキーボード管理装置は、表示するキーボード配列データとこのキー位置に関連付けて表示されるフォントデータとを予め記憶する第１のキーボードデータ記憶部と、追加キーボード配列データとこのキー位置に関連付けて表示される追加フォントデータとを記憶する第２のキーボードデータ記憶部と、その追加キーボード配列データおよび追加フォントデータを前記第２のキーボードデータ記憶部に登録制御する追加キーボード登録制御部と、所定の指示に基づき、それら第１又は第２のキーボードデータ記憶部から前記キーボードを選択するとともに、選択された当該キーボード配列データとこのキー位置に関連付けるフォントデータとから表示用キーボードデータを作成する表示用キーボード作成部とを具備している。
【００１３】
そして、本発明では、選択されたそのキーボード配列データのキー位置について、所定の指示に基づき、それら第１又は第２のキーボードデータ記憶部中のフォントデータを変更して上記表示用キーボード作成部に出力制御する変更制御部を有する構成も可能である。
【００１４】
また、本発明では、所定の指示に基づき、選択された上記キーボード配列データについて、当該キーボード配列の一部を変更してその表示用キーボード作成部に出力制御する変更制御部を有する構成も可能である。
【００１５】
また、本発明では、異なる言語用の追加キーボード配列データおよび追加フォントデータを登録制御するよう上記追加キーボード登録制御部を形成することも可能である。
【００１６】
さらに、本発明に係るキーボード管理プログラムは、表示するキーボード配列データとこのキー位置に関連付けて表示されるフォントデータとを予め第１のキーボードデータ記憶部に記憶して管理する管理制御コンピュータにおいて、追加キーボード配列データとこのキー位置に関連付けて表示される追加フォントデータとを第２のキーボードデータ記憶部に記憶する記憶処理と、所定の指示に基づき、それら第１又は第２のキーボードデータ記憶部からキーボード配列データを選択するとともに、選択された当該キーボード配列データとこのキー位置に関連付けたフォントデータとから表示用キーボードデータを作成する表示用キーボード作成処理とを実行するものである。
【発明の効果】
【００１７】
このような本発明に係るキーボード管理装置およびキーボード管理プログラムは、表示するキーボード配列データとこのキー位置に関連付けて表示されるフォントデータとを予め第１のキーボードデータ記憶部に記憶し、追加キーボード配列データとこのキー位置に関連付けて表示される追加フォントデータとを第２のキーボードデータ記憶部に記憶し、その追加キーボード配列データおよび追加フォントデータを第２のキーボードデータ記憶部に追加キーボード登録制御部を登録制御し、所定の指示に基づき、表示用キーボード作成部にて、それら第１又は第２のキーボードデータ記憶部からキーボードを選択するとともに、選択された当該キーボード配列データとこのキー位置に関連付けるフォントデータとから表示用キーボードデータを作成するから、複数のキーボードの任意の表示が可能となる。
【００１８】
そして、選択されたそのキーボード配列データのキー位置について、所定の指示に基づき、それら第１又は第２のキーボードデータ記憶部中のフォントデータを変更して上記表示用キーボード作成部に出力制御する変更制御部を有する構成では、選択されたキーボード配列において、キー配列の個々のフォントを変更することが可能である。
【００１９】
また、選択された上記キーボード配列データについて、当該キーボード配列の一部を変更してその表示用キーボード作成部に出力制御する変更制御部を有する構成では、選択されたキーボード配列についてキー配列を変更することが可能である。
【００２０】
また、異なる言語用の追加キーボード配列データおよび追加フォントデータを登録制御するよう上記追加キーボード登録制御部を形成する構成では、複数の言語キーボードを切換え表示可能となる。
【発明を実施するための最良の形態】
【００２１】
以下、本発明の実施の形態を図面を参照して説明する。
【００２２】
図１は本発明に係るキーボード管理装置の実施の形態を複合機とともに示すブロック図である。
【００２３】
図１において、本発明のキーボード管理装置を搭載した複合機は、概略的に画像制御部３０を中心にして第１の入力部４０、第２の入力部５０、第３の入力部６０、表示部７０、第１の出力部８０および第２の出力部９０を有する画像成形装置である。
【００２４】
画像制御部３０は、フォント制御部３１、フォントデータ読書き制御部３２およびフォントデータ記憶部３３を有して形成されており、詳細な機能は後述する。
【００２５】
第１の入力部４０はプリンタ制御部４１を有しており、図示しないコンピュータからプリンタ（画像）データをプリンタ制御部４１に入力し、このプリンタ制御部４１において、フォント制御部３１を介して得た後述するフォントデータによって印刷画像データを作成し、画像制御部３０に出力する機能を有する。
【００２６】
第２の入力部５０は受信処理部５１を有し、図示しないネットワークからの受信データ例えばＦＡＸ受信信号を解読して画像データに変換して画像制御部３０に出力する機能の他、例えば後述する追加フォントデータを入力する機能を有している。
【００２７】
ところで、言語データは、国別コードを示す識別情報データ、表示する文字コードをテーブル状に配列した文字列データ、表示部７０への表示、印刷又は送信するためにその文字コード等に関連付けたフォント（キャラクター）データ、言語に対応するソフトキーボード配列データとこのキー位置に関連付けたフォントデータを示すキーボードデータから構成されているが、本明細書では言語データのうち便宜上文字コード、フォントデータおよびキーボード配列データとキーフォントデータを用いて説明する。
【００２８】
第３の入力部６０は従来公知のスキャナー処理部６１を有し、原稿データを読み取って電子的な画像データに変換して画像制御部３０に出力する従来公知の機能を有している。
【００２９】
表示部７０は、表示パネル７１と、本発明のキーボード管理装置を構成するキーボードデータ記憶部７２およびパネル制御部７３とを有している。これらの詳細な機能は後述する。
【００３０】
第１の出力部８０は、画像制御部３０から出力された第１〜第３の入力部４０、５０、６０からの入力画像データを用紙に印刷して出力する従来公知の印刷エンジン等である。
【００３１】
第２の出力部９０は、画像データを所定の送信用信号に変換するとともに所定のプロトコルで外部のネットワーク（図示省略）に、例えばＦＡＸ送信する送信制御部９１であり、フォント制御部３１から出力された送信フォントデータを、送信画像データのヘッダやフッタに送信元や送信先の名称やＩＤとして付加する送信画像制御部９２を有している。
【００３２】
画像制御部３０は、上述したフォント制御部３１、フォントデータ読書き制御部３２およびフォントデータ記憶部３３において、言語フォントデータを読み書き可能に記憶したり読出し制御する他、動作状態や種々の選択指示内容を表示する表示データを作成してパネル制御部７３に出力し、表示パネル７１からの指示に基づき、プリンタ制御部４１、スキャナー処理部６１又は受信処理部５１からの画像データを印刷画像データとして印刷処理部８１に出力したり、送信画像データとして送信制御部９１に出力する機能の他、後述する機能を有している。
【００３３】
キーボードデータ記憶部７２は、図２に示すように、表示パネル７１に表示する標準言語としての日本語のキーボード配列データおよびこのキー位置に対応したキーフォントデータが予め記憶された内部キーボードデータ記憶部（第１のキーボードデータ記憶部）７２１と、標準言語以外の追加言語キーボード配列データおよびこのキー位置に対応したキーフォントデータを記憶する外部キーボードデータ記憶部（第２のキーボードデータ記憶部）７２２を有している。
【００３４】
パネル制御部７３は、表示用キーボード作成部７３１、追加キーボード登録制御部７３２および変更制御部７３３を有して形成されており、更に、追加キーボード登録制御部７３２は外部キーボード配列制御部７３４および外部キーボード登録処理部７３５とを有して形成されている。
【００３５】
パネル制御部７３の表示用キーボード作成部７３１は、外部キーボード配列制御部３３４および外部キーボード登録処理部３３４を介して追加キーボード配列データおよびこれに用いる追加フォントデータを外部キーボードデータ記憶部７２２に記憶制御する機能を有している。
【００３６】
表示用キーボード作成部７３１は、所定の指示に基づき、それら内部又は外部キーボードデータ記憶部７２１、７２２からキーボード配列データを選択するとともに、選択された当該キーボード配列データとこのキー位置に関連付けるフォントデータとから、例えば図３、図４および図５に示すような英語、ドイツ語、ロシア語の表示用キーボードデータを作成し、表示パネル７１に切換え表示制御する機能を有している。
【００３７】
表示用キーボード作成部７３１に接続された変更制御部７３３は、表示用キーボード作成部７３１を介した表示パネル７１からの指示に基づき、内部キーボードデータ記憶部７２１又は外部キーボードデータ記憶部７２２から読み出したキーボード配列データのキー位置について、内部キーボードデータ記憶部７２１又は外部キーボードデータ記憶部７２２から別のキーフォントデータを読み出し、当該キー位置の関連づけを変更して表示用キーボード作成部７３１に出力する機能を有し、表示用キーボード作成部７３１では表示キーボードデータを変更作成して表示パネル７１に出力する機能も有している。
【００３８】
例えば、あるキーボード配列データについて一部の隣合うキー位置の表示用文字フォントを交換変更するような場合である。
【００３９】
変更制御部７３３は、表示用キーボード作成部７３１を介した表示パネル７１からの指示に基づき、読み出したキーボード配列データのキーボード配列の一部の位置を変更したり、又は削除や追加し、この変更したキーボード配列データを表示用キーボード作成部７３１に出力する機能を有し、表示用キーボード作成部７３１ではその変更キーボードデータにて表示パネル７１を表示制御する機能も有している。なお、キーボード配列の一部変更に伴ってキーフォントデータも変更される。
【００４０】
図１に戻って、フォント制御部３１は、取得した当該フォントデータを、表示パネル１１にて表示する表示態様に応じてフォーマット変換してパネル制御部７３に出力制御し、印刷画像データの画像形成態様に応じてフォーマット変換してプリンタ制御部４１に出力制御するとともに、アドレス帳その他の文書データとしての送信画像データにおけるヘッダーやフッターへの付加態様に応じてフォーマット変換して送信画像制御部９１に出力制御する機能を有している。
【００４１】
すなわち、フォント制御部３１は、取得した当該フォントデータを表示態様や、印刷画像データ又は送信画像データ等の画像データに用いる態様に応じて各々変換して出力制御する機能を有している。
【００４２】
次に、上述したキーボード管理装置の動作を簡単に説明する。
【００４３】
まず、追加言語データ等の追加登録動作を説明する。
【００４４】
例えば、第２の入力部５０の受信処理部５１に、追加言語データを格納した外部記憶媒体が接続されると、表示パネル７１からの指示に基づき、画像制御部３０のフォント制御部３１が、フォント制御部３１およびフォントデータ読書き登録部３２を介して外部フォントデータをフォントデータ記憶部３３に文字コードに関連付けて記憶制御する。
【００４５】
さらに、画像制御部３０は、追加言語データに係るキーボード配列データやキーフォントデータをパネル制御部７３に送ると、パネル制御部７３がキーボード配列データおよびこれに使用するキーフォントデータを外部キーボード配列制御部７３４および外部キーボード登録処理部７３５を介して外部キーボードデータ記憶部７２２に記憶する。
【００４６】
次に、例えば追加キーボード配列データ等を表示パネル７１に表示する場合、表示パネル７１からキーボード選択指示がなされると、パネル制御部７３を介してキーボードデータ記憶部７２から所望にキーボード配列データおよびこれに用いるキーフォントデータを読み出して表示用キーボード配列データを作成し、表示パネル７１に出力制御して表示される。
【００４７】
このように構成された本発明のキーボード管理装置では、表示パネル７１に表示するキーボードデータとこのキー位置に関連付けて表示されるフォントデータとを予め記憶する内部キーボードデータ記憶部（第１のキーボードデータ記憶部）７２１と、追加キーボードデータとこのキー位置に関連付けて表示される追加フォントデータとを記憶する外部キーボードデータ記憶部（第２のキーボードデータ記憶部）７２２と、それら追加キーボードおよび追加フォントデータを外部キーボードデータ記憶部７２２に登録制御する追加キーボード登録制御部７３２と、それら内部又は外部キーボードデータ記憶部７２１、７２２から選択したキーボードデータとこのキー位置に関連付けたフォントデータとから表示用キーボードデータを作成する表示用キーボード作成部７３１とを具備している。
【００４８】
そのため、複数のキーボード配列データとこれに割り付けるキーフォントデータから任意のキーボード表示が可能となる。
【００４９】
また、変更制御部７３３によって、選択されたキーボード配列データのキー位置に対応するフォントデータを任意に変更可能となり、使い勝手が向上する。
【００５０】
さらに、変更制御部７３３によって、フォントデータの割付の他に、選択されたキーボード配列データの一部の移動、削除又は追加等の変更が可能であり、やはり使い勝手が向上する。
【００５１】
そして、追加キーボード登録制御部７３２が、複数種類の言語キーボード配列データを言語毎に管理して記憶制御するから、複数の言語キーボード配列の追加変更が簡単になるうえ、切換え表示が可能となる利点があり、複数国における使用を促進できる。
【００５２】
なお、本発明に係るキーボード管理装置では、文字フォントデータに限らず、文字、記号その他符号についてのフォントデータにおいて実施可能である。
【００５３】
そして、本発明に係るキーボード管理プログラムにつき言及すれば、パネル制御部７３を形成する表示用キーボード作成部７３１を主体とし、表示するキーボード配列データとこのキー位置に関連付けて表示されるフォントデータとを予め内部キーボードデータ記憶部７２１に記憶して管理するキーボード管理制御コンピュータにおいて、追加キーボード配列データとこのキー位置に関連付けて表示される追加フォントデータとを外部キーボードデータ記憶部７２２に記憶する記憶処理と、所定の指示に基づき、それら内部又は外部キーボードデータ記憶部７２１、７２２からキーボード配列データとこのキー位置に関連付けたフォントデータを選択して表示用キーボードデータを作成する表示用キーボード作成処理とを実行するものである。
【図面の簡単な説明】
【００５４】
【図１】本発明に係るキーボード管理装置の実施の一形態を複合機とともに示すブロック図である。
【図２】図１中のパネル制御部の構成例を示すブロック図である。
【図３】追加する表示キーボード（英語）例を示す図である。
【図４】追加する表示キーボード（ドイツ語）例を示す図である。
【図５】追加する表示キーボード（ロシア語）例を示す図である。
【図６】従来の画像形成装置の一例を示すブロック図である。
【符号の説明】
【００５５】
１  プリンタ制御部
３  印刷フォントデータ記憶部
５  画像制御部
７  スキャナー処理部
９  パネル制御部
１１  表示パネル
１３  印刷処理部
１５  送信制御部
１７  送信フォントデータ記憶部
１９  送信制御部
２１  表示フォントデータ記憶部
２３  受信処理部
３０  画像制御部
３１  フォント制御部
３２  フォントデータ読書き制御部
３３  フォントデータ記憶部
４０  第１の入力部
４１  プリンタ制御部
５０  第２の入力部
５１  受信処理部
６０  第３の入力部
６１  スキャナー処理部
７０  表示部
７１  表示パネル
７２  キーボードデータ記憶部
７２１  内部キーボードデータ記憶部（第１のキーボードデータ記憶部）
７２２  外部キーボードデータ記憶部（第２のキーボードデータ記憶部）
７３  パネル制御部
７３１  表示用キーボード作成部
７３２  追加キーボード登録制御部
７３３  変更制御部
７３４  外部キーボード配列制御部
７３５  外部キーボード登録処理部
８０  第１の出力部
８１  印刷処理部
９０  第２の出力部
９１  送信制御部
９２  送信画像制御部
【図１】
2007265087.tif 000003
【図２】
2007265087.tif 000004
【図３】
2007265087.tif 000005
【図４】
2007265087.tif 000006
【図５】
2007265087.tif 000007
【図６】
2007265087.tif 000008